(57)【要約】【課題】トイレの照明装置を点灯しなくても便器本体の周壁部分や、その床面を明るくでき、夜間の使用に対しても人を覚醒させず、人に優しい洋風便器装置を提供する。【解決手段】周壁部１３を有した便器本体１０に回動可能な便座１６を載設した洋風便器装置１であって、人体検知手段２３を設けるとともに、便器本体１０には、照明灯２０Ａが設けられており、人体検知手段２３が人を検知したときに照明灯を点灯または点滅する構成にしている。【選択図】図１
2007197900.tif 000002
【特許請求の範囲】
【請求項１】
周壁部を有した便器本体に回動可能な便座を載設した洋風便器装置であって、
上記便器装置には人体検知手段を設けるとともに、上記便器本体には、照明灯が設けられており、
上記照明灯は、上記人体検知手段が人を検知したときに点灯または点滅される構成にしている洋風便器装置。
【請求項２】
請求項１において、
上記照明灯は、上記便器本体の周壁部に、便器本体の床面を照らすための複数の照明灯を埋設した構成にしている洋風便器装置。
【請求項３】
請求項１において、
上記便器本体の周壁部は少なくとも透光性素材で形成され、便器本体内に照明灯を配設している洋風便器装置。
【請求項４】
請求項１〜３のいずれかにおいて、
上記便器本体は、樹脂材料からなることを特徴とする洋風便器装置。
【請求項５】
請求項４において、
上記便器本体を光拡散剤を含有させた透光性樹脂材料で製していることを特徴とする洋風便器装置。
【請求項６】
請求項１〜５のいずれかにおいて、
上記便器装置は、周辺の照度を測定する照度検出手段をさらに備えており、
上記照明灯は、照度検出手段で測定された照度に応じて異なる態様で点灯または点滅される構成としている洋風便器装置。
【発明の詳細な説明】
【技術分野】
【０００１】
本発明は、照明灯を設けた洋風便器装置に関するものである。
【背景技術】
【０００２】
従来、洋風便器装置において、男子小用の立ち位置および便鉢内の放尿的（まと）をスポット光で照らし出すものが提案されている。
【０００３】
例えば次の特許文献１、２では、男子小用の立ち位置用の照明灯を張出部に、放尿的用の照明灯を便座の枢軸部に配設したものが開示されている。これらによれば、男子小用の際はもちろん他の場合でも、便器前方床面や便器内が照らし出されるため、夜間にトイレに立った場合に、トイレ内の照明装置を点灯しなくても用便をすますことが可能である。
【特許文献１】特開２００２−１１９４４２号公報
【特許文献２】特開平８−２８４２３２号公報
【発明の開示】
【発明が解決しようとする課題】
【０００４】
しかしながら、上記立ち位置用および放尿的用の照明灯はいずれも床面や渇水面の一部に向けスポット光を照射する構成であるため、そのような照明だけでは、例えばトイレットペーパーや水洗用レバーハンドルの位置など便器周辺までをも視認させることができない。
【０００５】
また、放尿的用の照明灯を取り付ける便座の枢軸部は男子小用により尿が飛散しやすく汚れやすい箇所であり、また、張出部に立ち位置用の照明灯を設けたものは張出部が洋風便器装置に必須なものではないため、十分に満足できるものとは言いがたい。
【０００６】
一方、従来のトイレ空間は、夜間にトイレを利用する場合に天井などに設けた照明装置を点灯させると、できる限り速やかに用便をすませなければ明るすぎる照明で覚醒されることが多く、再び眠りにつけないこともあり、そのため人に優しい環境とは言いがたい。
【０００７】
本発明は、このような事情を考慮して提案されたもので、その目的は、トイレの照明装置を点灯しなくても便器本体の周壁部分や、その床面を明るくでき、夜間の使用に対しても人を覚醒させず、人に優しい洋風便器装置を提供することにある。
【課題を解決するための手段】
【０００８】
上記目的を達成するために、請求項１に記載の洋風便器装置は、周壁部を有した便器本体に回動可能な便座を載設した洋風便器装置であって、その便器装置には人体検知手段を設けるとともに、便器本体には、照明灯が設けられており、照明灯は、人体検知手段が人を検知したときに点灯される構成にしている。
【０００９】
請求項２では、照明灯は便器本体の周壁部に複数の照明灯を埋設した構成にしていることを特徴としている。
【００１０】
請求項３では、便器本体の周壁部は少なくとも透光性素材で形成され、便器本体内に照明灯を配設していることを特徴としている。
【００１１】
請求項４では、便器本体が樹脂材料からなることを特徴としている。
【００１２】
請求項５では、便器本体を、光拡散剤を含有させた透光性樹脂材料で製していることを特徴とする。
【００１３】
請求項６では、便器装置は周辺の照度を測定する照度検出手段をさらに備えており、照明灯は、照度検出手段で測定された照度に応じて異なる態様で点灯または点滅される構成としている。
【発明の効果】
【００１４】
請求項１に記載の洋風便器装置によれば、人体検知手段が人を検知したときに照明灯を点灯させて、便器本体とその周辺を明るくすることができる。また、照明灯は、便器本体に取り付けているため、その周壁部とともに床面を照らせるようにしておけば、間接照明のような感覚で使用できる。したがって、夜間など室内が暗い状況のときにも、トイレ内の照明装置を点灯しなくても使用でき、かつ照明により覚醒されるおそれもない。
【００１５】
請求項２に記載の洋風便器装置によれば、照明灯は便器本体の周壁部に複数の照明灯を埋設した構成にしているため、便器周辺の床面などを広範囲にわたって照らし出すことができる。
【００１６】
請求項３に記載の洋風便器装置によれば、便器本体の周壁部は少なくとも透光性素材で形成され、便器本体内に照明灯を配設しているため、たとえば周壁部で囲まれた便鉢の下方に照明灯を設ければ、その１つの照明灯で便器周辺を広範囲にわたって照らし出すことができ、夜間に主照明を点灯させなくてもトイレを使用することができる。
【００１７】
請求項４に記載の洋風便器装置によれば、便器本体は樹脂材料から製されているため、加工がしやすく、照明灯の埋設が容易にできる。特に便鉢を透光性の樹脂材料で製造すれば、便鉢内にも光が届き、夜間の男子小用の際にも便鉢内の渇水面を視認でき、主照明なしでも用をすませることができる。また、便鉢、周壁部などを個々の樹脂パーツにより形成すれば、分解が容易にできるため、清掃がしやすく、パーツ取替えも簡単にできる。
【００１８】
請求項５に記載の洋風便器装置によれば、便器本体の樹脂材料に光拡散剤をさらに含有させているため、便器本体を通過する光は拡散され、周辺に淡い光を照射させることができる。
【００１９】
請求項６に記載の洋風便器装置によれば、測定した周辺の照度により照明灯の点灯、点滅態様を切り換える構成としているため、夜間には昼間よりもほのかな光を照射させることができる。
【発明を実施するための最良の形態】
【００２０】
以下に、本発明の実施の形態について、添付図面を参照しながら説明する。
【実施例１】
【００２１】
図１（ａ）は本発明の洋風便器装置の全体斜視図、（ｂ）は便器本体の内方を裏側より見た斜視図である。図２は本発明の洋風便器装置の分解斜視図である。
【００２２】
この洋風便器装置１は、便器本体１０と、便器本体１０に回動可能に載設した便座１６、便蓋１７と、便座・便蓋用の載設支持台１８とを備え、受動型の焦電センサーを備えた人体検知手段２３を有し、周囲の床面などを照らす照明灯２０Ａ、および男子小用の際の立ち位置をスポット光で照らすスポット灯２１が便器本体１に埋設された構成となっている。なお、便器本体１０の後方に洗浄タンクを備えるが、図示は省略する。
【００２３】
便器本体１０は、樹脂材料よりなり、排水口１１ａを有した便鉢１１、この便鉢１１を囲み隠し、便鉢１１の上端周縁部１２より下方に形成されたスカート部を構成する周壁部１３、便鉢１１より後方空間を囲む後方周壁１５（図１（ｂ）には図示を省略）を備えて構成される。なお、便鉢は、経年劣化を考慮すれば陶器で構成することが望まれるが、後述するように、周壁部１３と同じ透光性の樹脂材料により製してもよい。
【００２４】
周壁部１３には、床面などに光を照射する複数の照明灯２０Ａ（図中には１つのみ図示）、男子小用の立ち位置にスポット光を照射するスポット灯２１、２１、便器周辺の人の在、不在を検知する人体検知センサー２３、便器周辺の照度を測定する照度検出センサー２４が埋設されている。なお、照明灯２０Ａは後方周壁１５に埋設させてもよい。また、これらを制御する制御装置２２は、周壁部１３または後方周壁１５で囲まれた空間の適所に設置される。なお、照明灯２１の詳細構成および照明基本動作については、図３、図４にて後述する。
【００２５】
また、便座・便蓋用の載設支持台１８は、本体台部１８ａと、便座１６、便蓋１７が枢着される枢軸部１８ｂと、便器本体１０に対して装着する装着凸部１８ｃとを備えている。
【００２６】
便鉢１１の上端周縁部１２は、便座１６を倒したときに便座１６の載置台となる一方、載設支持台１８の装着凸部１８ｃを受け入れるための装着カバー部１４を連設している。この装着カバー部１４は、上端周縁部１２の後部より立ち上げ形成させた湾曲壁部１４ａを有し、装着凸部１８ｃを覆うように袋状に形成されている。この装着カバー部１４が上端周縁部１４と一体形成され、かつ湾曲壁部１４ａを有することにより、便器本体１０の内方（床面など）や後方への尿、水分の浸入を防止している。
【００２７】
便器本体１０を構成する便鉢１１、上端周縁部１２、周壁部１３、後方周壁１５などを樹脂材料で製造すれば、一体成形される陶器製の便器本体と比較し安価で加工成形しやすく、また軽量であり、搬送作業や設置作業の効率化を図るものとなる。
【００２８】
また、樹脂材料で形成した部分は個々のパーツに分割できるため、清掃が容易であり、パーツごとに取り替えも可能となり、衛生的なものとなる。特に上端周縁部１２の取り替えが可能となるため、使用者の好みによって色を変えたり、夏用、冬用カバーを取り替えて使用することもできる。
【００２９】
便座１６と便蓋１７は、載設支持台１８に設けた枢軸部１８ｂに対して、起倒回動可能に枢着される。便座１６、便蓋１７、載設支持台１８を一体としたのち、装着凸部１８ｂを便器本体１０に装着し、本体台部１８ａを後方周壁１５の上端に被せるように載せ置くことによって、便座１６と便蓋１７とが便器本体１０に設置される。なお図１（ａ）は、便座１６、便蓋１７ともに起立状態を示している。
【００３０】
ついで、照明灯２０Ａの埋設構造について、図２を参照しながら説明する。図２は、周壁部１３に設けた照明灯２０Ａの埋設箇所の部分縦断面図である。
【００３１】
周壁部１３の適所には、照明灯２０Ａを埋設する埋設凹所１３ａが形成されている。埋設凹所１３ａには照明灯２０Ａを構成するＬＥＤが埋設される。なお、照明灯２０Ａ用の配線は図示を省略している。また、埋設凹所１３ａを覆うように傘部１３ｂが形成されている。この傘部１３ｂは、光を反射させるために白色の内面を有するか、必要に応じて光反射板２５を取り付けたものが望ましい。
【００３２】
照明灯２０Ａを点灯させると、光は直接、床面などに照射されるとともに、光反射板２５に反射した光が、周壁部１３の下部壁面、床面、トイレ室壁面（不図示）などの下方空間を照らし出す。
【００３３】
このように、照明灯２０Ａから照射される光は周壁部１３の立設箇所を含む下方空間を照らし出すため、利用者はその光で便器本体１０の外観を視認でき、夜間などトイレ内が暗い状況のときにトイレ内の照明装置を点灯しなくても用便をすますことができる。また、床面などで反射される間接光により、トイレットペーパーや水洗用レバーハンドルの位置も視認することができる。
【００３４】
さらに、本例のようにトイレ内の下方空間に対して光照射がされるため、利用者は照明灯２０Ａからの直接光を受けることはなく、床面や壁面に反射した間接光を受けるため、まぶしさをほとんど感じることがない。そのため、夜間トイレに立った場合にトイレの照明装置の光で覚醒されることもない。
【００３５】
また、張出部や便座の枢軸部などの限られた場所に照明灯を取り付けるものではなく、照明灯２０Ａを便器本体１０に取り付ける構成にしているため、周壁部１３と後方周壁１５の全周にわたり照明灯２０Ａを設ければ、便器周辺をもれなく照らし出すことも可能である。
【００３６】
さらに、便鉢１１を透光性樹脂材料で形成したものでは、便鉢１１内もその外面より光が透過し、男子小用の際に便鉢１１の内面および渇水面が透視できる。また、透光性樹脂材料に光拡散剤を含めれば、便器本体１０を通過する光は拡散され、周辺全体に淡い光を発散させることができる。
【００３７】
このように、周壁部１３に埋設した複数の照明灯２０Ａにより、便器内外が淡い光で映し出されるため、便器本体１０はほのかな光で点灯し、そのためトイレ空間に意匠性を持たせ、トイレ室内を装飾的に演出することができるので、遊び心のある利用者の趣向を充たすことができる。
【００３８】
図３は、照明灯２０Ａの点灯、消灯基本動作を示すフローチャートである。
【００３９】
本例に示した照明灯２０Ａは、制御装置２２（図１（ａ）参照）によって点灯、消灯制御がなされる構成となっている。
【００４０】
制御装置２２は、人体検知センサー２３が人を検知すると、照度検出センサー２４が測定した照度が所定値以下であるかどうかを判定し、所定値以下であれば夜間用の点灯態様で照明灯２０Ａを点灯させ、照度が所定値を超えていれば昼間用の点灯態様で照明灯２０Ａを点灯させる（ステップ１０１〜１０４）。たとえば夜間用の点灯態様としては、覚醒させないように、照度を低く抑え、光色を暖色系にするなどすればよい。
【００４１】
制御装置２２は、以上のような原理で照明灯２０Ａを点灯させた後、人体検知センサー２３がオンからオフを検知すると、点灯中の照明灯２０Ａを消灯させる（ステップ１０５、１０６）。
【００４２】
上記のような昼夜の切り換えは、照度検出センサー２４によるものに限らず、内蔵されたクロック（不図示）を用いて、照明灯２０Ａを設定した時刻になれば点灯させたり、消灯させたりしてもよい。また、昼間は照明灯２０Ａを点灯させない構成としてもよい。
【００４３】
また、本例では照明灯２０Ａを人体検知により点灯させているが、人を検知していないときは常時点灯させておき、人を検知したときに照度を上げたり点滅させたりする構成としてもよい。すなわち、これらの照明灯２０Ａは、トイレを使用しないときには常備灯として利用できる。そのため、トイレのドアに漏光用の小窓などを設ければ、夜間にトイレに行くまでの途中の照明を点けなくても、小窓から漏れる光によりトイレ室やドアノブの位置を視認することができる。
【００４４】
上記のような昼夜を判別するための照度の所定値、時刻や、昼夜の点灯、点滅態様などを変更可能とした設定手段（不図示）を設ければ、家族構成、在宅状況などに応じて設定変更が可能となり、さらに使い勝手がよい。
【００４５】
また、本実施例で示したスポット灯２１は、便座１６を起立させたときに床面の立ち位置に光照射するようにしたものであるが、照明灯２０Ａと同種のＬＥＤを用いて、その光源の前方に、透明の足形部を設け他の部分を半透明にした透光フィルム（不図示）を貼付したものとしてもよい。たとえば、女性のみからなる家族の場合、そのような透光フィルムを貼付しなければ、間接照明用の照明灯２０Ａとして利用することができる。いずれに使用するかに応じて、上記設定手段によって照明制御の態様を変更できるようにしてもよい。
【００４６】
さらに、照明灯２０Ａを、洋風便器装置１に設けたスイッチ（不図示）によりオン、オフできる構成としてもよいし、照明灯２０Ａを、すでにトイレに設置している照明装置（不図示）と連動的に制御できる構成にしてもよい。
【実施例２】
【００４７】
以下に、本発明の洋風便器装置の別例を説明する。図５は、その洋風便器装置の便器本体１０の内方を裏側より見た便器本体１０の斜視図である。なお、便座、便蓋、載設支持台および後方周壁については図示を省略している。
【００４８】
この洋風便器装置は、少なくとも周壁部１３を透光性の樹脂材料で成形し、照明灯２０Ｂを便器本体１０の内部空間に配設したものである。図例では、便鉢１１下方の周壁部１３で囲まれた空間に電球などの照明灯２０Ｂを配設したものを示している。また本例においても、男子小用の立ち位置照明用のスポット灯を付加することを可能としている。
【００４９】
このような構成によれば、便器本体１０が内照式の照明装置となり得、周壁部１３を透過する光により、トイレ内の便器周辺空間がほのかに照らされ、夜間にトイレ内の主照明装置を点灯させなくても用をすますことができる。また、内照式では便器本体１０が大きな照明灯となるため、トイレを、インテリア照明装置を備えたおしゃれな空間に変えることができる。また、便鉢１１にも透光性を持せて、照明灯を点灯したときに、便器本体がスケルトンのように見せてよい。
【００５０】
なお、周壁部１３の素材を透光性とする代わりに、周壁部１３に漏光用の小開口を設けるようにしてもよい。
【００５１】
本例で示した洋風便器装置の照明灯２０Ｂ以外の構成については、実施例１と同様であるため、その説明を省略する。また、照明灯２０Ｂの点灯、消灯動作については、図示および説明を省略するが、実施例１と同様、人体検知手段による点灯、消灯制御、照度検出手段による昼間、夜間の切り換え制御がなされることを可能としていることは言うまでもない。
【図面の簡単な説明】
【００５２】
【図１】（ａ）は本発明の洋風便器装置の全体斜視図、（ｂ）は便器本体の内方を裏側より見た斜視図である。
【図２】照明灯の点灯、消灯基本動作を示すフローチャートである。
【図３】本発明の洋風便器装置の分解斜視図である。
【図４】照明灯を埋め込んだ周壁部の部分縦断面図である。
【図５】本発明の洋風便器装置の別例を示したもので、便器本体の内方を裏側より見た斜視図を示している。
【符号の説明】
【００５３】
１      洋風便器装置
１０      便器本体
１１      便鉢
１２      上端周縁部
１３      周壁部
１４      装着カバー部
１５      後方周壁
１６      便座
１７      便蓋
１８      載設支持台
２０Ａ、２０Ｂ      照明灯
２１      立ち位置用スポット灯
２２      制御装置
２３      人体検知手段
２４      照度検出手段
【図１】
2007197900.tif 000003
【図２】
2007197900.tif 000004
【図３】
2007197900.tif 000005
【図４】
2007197900.tif 000006
【図５】
2007197900.tif 000007